(57)【要約】【課題】パネル表面の小溝部の形成箇所における強度低下をなくし、パネル裏面にリブを形成したことに伴うパネル表面の凹みの発生（ヒケ）を防止できる防水パネルを提供する。【解決手段】方形の平面形状を有するパネル１の四周に側壁２を形成し、パネル１の前縁沿いに排水溝部を凹設した合成樹脂製の防水パンＰであって、パネル１の排水溝部を除いた部分の表面に、排水溝部に通じる小溝部４を形成すると共に、パネル１の裏面にリブ６ａ，６ｂを小溝部４の位置に合わせて形成した構成とする。パネル表面の小溝部４とパネル裏面のリブ６ａ，６ｂの位置が合致していると、小溝部４がリブ６ａ，６ｂで補強されて強度低下を生じず、リブ形成部分でヒケが発生しても小溝部４と重なるので美観の低下を防止できる。【選択図】  図３
2004346648.tif 000002
【特許請求の範囲】
【請求項１】
方形の平面形状を有するパネルの四周に側壁を形成し、パネルの前縁沿いに排水溝部を凹設した合成樹脂製の防水パンであって、
パネルの排水溝部を除いた部分の表面に、排水溝部に通じる小溝部を形成すると共に、パネルの裏面にリブを小溝部の位置に合わせて形成したことを特徴とする防水パン。
【請求項２】
パネルの裏面のリブの両側に、パネルの肉厚よりも厚い肉盛部を形成した請求項１に記載の防水パン。
【請求項３】
小溝部を格子状に形成すると共に、小溝部の位置に合わせてリブを格子状に形成した請求項１に記載の防水パン。
【請求項４】
パネルの格子状の小溝部によって囲まれた表面に、小溝部よりも小さな凹条を小溝部に通じるように格子状に形成した請求項３に記載の防水パン。
【請求項５】
一方向に延びるリブの高さを、これと直交する方向に延びるリブの高さよりも低くした請求項３に記載の防水パン。
【発明の詳細な説明】
【０００１】
【発明の属する技術分野】
本発明は、バルコニーやテラスなどに敷設される合成樹脂製の防水パンに関する。
【０００２】
【従来の技術】
バルコニーやテラスなどに敷設される合成樹脂製の一般的な防水パンは、方形の平面形状を備えたパネルの四周に側壁を形成し、パネルの前縁沿いに排水溝部を凹設した構造を有している。このような防水パンの中には、パネルの表面に小溝部を形成してパネル表面の水はけの向上と防滑性を付与すると共に、パネルの裏面にリブを形成して防水パンの強度向上を図ったものがある（例えば特許文献１参照）。
【０００３】
【特許文献１】
特開平８−２０９９０６号公報（第１図、第２図）
【０００４】
【発明が解決しようとする課題】
しかしながら、上記特許文献１の防水パンのようにパネルの表面と裏面に小溝部とリブを形成した従来の防水パンは、小溝部の位置に合わせてリブを形成していないため、肉厚の薄くなった小溝部をリブで補強することができず、防水パンの強度が小溝部の形成箇所で部分的に低下するという問題があった。
【０００５】
また、上記のように小溝部とリブの位置がずれていると、プレス成形等の手段で防水パンを一体成形したときに、リブを形成した箇所のパネル表面に凹みが生じる（いわゆるヒケの発生）ため、美観が損なわれて商品価値が低下するという問題もあった。
【０００６】
本発明は、これらの問題を解決し得る合成樹脂製の防水パンを提供することを目的としている。
【０００７】
【課題を解決するための手段】
上記目的を達成するため、本発明に係る防水パンは、方形の平面形状を有するパネルの四周に側壁を形成し、パネルの前縁沿いに排水溝部を凹設した合成樹脂製の防水パンであって、パネルの排水溝部を除いた部分の表面に、排水溝部に通じる小溝部を形成すると共に、パネルの裏面にリブを小溝部の位置に合わせて形成したことを特徴とするものである。
【０００８】
この防水パンのように、パネルの表面に形成された小溝部の位置に合わせてパネルの裏面にリブが形成されていると、パネルの肉厚の薄くなった小溝部がリブで補強されるため、防水パンのパネルの強度が小溝部の形成箇所で部分的に低下することがなくなる。そして、成形の際にヒケが発生し、リブを形成した箇所のパネル表面に凹みが生じても、この凹みの発生箇所はパネル表面の小溝部の形成箇所に合致するため、美観が損なわれて商品価値が低下する心配もなくなる。
【０００９】
本発明の防水パンにおいては、パネルの裏面のリブの両側に、パネルの肉厚よりも厚い肉盛部を形成することが好ましく、このように肉盛部を形成すると、パネルの小溝部の形成箇所の強度やリブの付根部分の強度が向上し、クラック等の発生を抑制できる利点がある。
【００１０】
また、本発明の防水パンにおいては、小溝部を格子状に形成すると共に、小溝部の位置に合わせてリブを格子状に形成することが好ましく、さらに、パネルの格子状の小溝部によって囲まれた表面に、小溝部よりも小さな凹条を小溝部に通じるように格子状に形成することが好ましい。このようにすると、パネル表面の水が凹条から小溝部を通ってすみやかに排水溝部に流れ込むため水はけ性能が向上すると共に、凹条と小溝部によって適度な滑り止め作用が発揮されるため、足を滑らせて転倒する危険性がなくなる。
【００１１】
また、本発明の防水パンにおいては、小溝部の位置に合わせて格子状に形成されたリブのうち、一方向に延びるリブの高さをこれと直交する方向に延びるリブの高さよりも低くすることが好ましく、このようにすると、防水パンの強度を維持したまま、防水パンの軽量化とコストダウンを図ることができる。
【００１２】
【発明の実施の形態】
以下、図面を参照して本発明の具体的な実施形態を詳述する。
【００１３】
図１は本発明の一実施形態に係る防水パンの平面図、図２は同防水パンの底面図、図３の（ａ）（ｂ）（ｃ）はそれぞれ図１のＡ−Ａ線断面図、Ｂ−Ｂ線断面図、Ｃ−Ｃ線断面図、図４は同防水パンの拡大部分平面図、図５は同防水パンの凹条を省略したパネルの拡大部分斜視図、図６は同防水パンの一施工例を示す断面図である。
【００１４】
この防水パンＰは、ＳＭＣ（シートモールディングコンパウンド）等のガラス繊維強化ポリエステルからなる材料をプレス成形してなる合成樹脂製の防水パンであって、図１〜図３に示すように、長方形の平面形状を有するパネル１の四周に漏水を防止する側壁２が形成されている。そして、パネル１の前縁沿いには排水溝部３が凹設されており、この排水溝部３の両端部に排水口３ａ，３ａが形成されている。
【００１５】
このパネル１の表面には、排水溝部３に通じる小溝部４が格子状に形成されており、この格子状の小溝部４によって囲まれたパネル１表面には、図４に示すように、小溝部４よりも小さな凹条５が小溝部４に通じるように格子状に形成されている。従って、パネル１の表面に降る雨水等は、この凹条５から小溝部４を通って排水溝部３へすみやかに流れ込むため、パネル１表面の水はけ性能は良好である。また、歩行の際には、足裏が凹条５や小溝部４に引っ掛かって適度な滑り止め作用が発揮されるため、足を滑らせて転倒する心配がなく安全である。
【００１６】
良好な水はけ性能と滑り止め作用を発揮させるためには、小溝部４の幅を３〜５ｍｍ程度、小溝部４深さを０．５〜１ｍｍ程度、小溝部４の格子目の一辺の長さを１０〜１５ｃｍ程度、凹条５の幅を０．５〜１ｍｍ程度、凹条５の深さを０．５〜１ｍｍ程度、凹条５の格子目の一辺の長さを２０〜４０ｍｍ程度とすることが望ましい。
【００１７】
上記の排水溝部３は、図３（ｂ）に示すように、その中央から両端部の排水口３ａ，３ａに近づくほど、溝底の高さが漸減して１／１００〜３／１００程度の流れ勾配がつくように形成されている。このような両流れの排水溝部３を形成すると、排水性能が向上する利点がある。尚、排水溝部３のいずれか一端部に排水口３ａを形成し、他端側から排水口３ａに向かって片流れの勾配がつくようにしても勿論よい。また、場合によっては、熱膨張率の小さなアルミニウム等で作製した蓋体（不図示）を上記の排水溝部３に周囲から水が流入できるように僅かな隙間をあけて被着してもよい。
【００１８】
この防水パンＰの排水溝部３を除いたパネル１の裏面には、図２、図３（ａ）（ｃ）、図５に示すように、リブ６ａ，６ｂが格子状の小溝部４の位置に合わせて格子状に形成されており、各リブ６ａ，６ｂの付根部分の両側には、パネル１の肉厚よりも厚い肉盛部７が形成されている。そして、パネル１の左右方向（幅方向）に延びるリブ６ｂの高さは、前後方向（奥行方向）に延びるリブ６ａの高さよりも低く形成されており、また、前後方向に延びるリブ６ａは一本おき（両端部は二本おき）に排水溝部３の裏面にまで延設されている。尚、前後方向に延びるリブ６ａは、パネル１に１／１００〜３／１００程度の流れ勾配（後端側から前端側に向かう流れ勾配）をつけるために、後端に近づくほどリブの高さが漸増するように形成されている。
【００１９】
上記のように、パネル１表面に格子状に形成された小溝部４の位置に合わせてリブ６ａ，６ｂがパネル１裏面に格子状に形成されていると、肉厚の薄くなった小溝部４がリブ６ａ，６ｂで補強されるため、防水パンＰのパネル１の強度が小溝部４の形成箇所で部分的に低下する心配がなく、また、プレス成形によって所謂ヒケが発生しても、ヒケの発生箇所が小溝部４の形成箇所に合致するため、美観が損なわれて商品価値が低下する心配もない。そして、上記のように肉盛部７が形成されていると、パネル１の小溝部４の形成箇所の強度やリブ６ａ，６ｂの付根部分の強度が向上してクラック等の発生が抑制され、更に、左右方向のリブ６ｂの高さが前後方向のリブ６ａの高さよりも低く形成されていると、防水パンＰの強度を維持したまま、防水パンＰの軽量化とコストダウンを図ることが可能となる。
【００２０】
以上のような構成の防水パンＰは、例えば図６に示すように、ベランダ等に設けられた支持材８の上に排水溝部３を屋外側にして載置固定され、水切り部材９によって防水パンＰの周囲の隙間から雨水等が裏側へ浸透しないように防水される。そして、排水溝部３の両端の排水口３ａから流出する排水が合流して堅樋１０に流れ込むように配管が行われる。尚、排水溝部３の両端の排水口３ａから排水が個別の堅樋に流れ込むように配管してもよいことは言うまでもない。
【００２１】
【発明の効果】
本発明の防水パンは、その強度が小溝部の形成箇所で部分的に低下することがなく、所謂ヒケが発生しても美観が損なわれて商品価値の低下を招くことがないといった顕著な効果を奏する。そして、格子状の小溝部で囲まれた部分に更に小さな凹条を格子状に形成したものは水はけ性能や滑り止め性能が良好であり、肉盛部を形成したものは、小溝部の形成箇所の強度やリブの付根部分の強度が向上してクラック等の発生を防止でき、一方向のリブの高さを直交するリブの高さより低く形成したものは防水パンの強度を維持したまま軽量化とコストダウンを図ることができるといった効果を併せて奏する。
【図面の簡単な説明】
【図１】本発明の一実施形態に係る防水パンの平面図である。
【図２】同防水パンの底面図である。
【図３】（ａ）（ｂ）（ｃ）はそれぞれ図１のＡ−Ａ線断面図、Ｂ−Ｂ線断面図、Ｃ−Ｃ線断面図である。
【図４】同防水パンの拡大部分平面図である。
【図５】同防水パンの凹条を省略したパネルの拡大部分斜視図である。
【図６】同防水パンの一施工例を示す断面図である。
【符号の説明】
Ｐ  防水パン
１  パネル
２  側壁
３  排水溝部
４  小溝部
５  凹条
６ａ，６ｂ  リブ
７  肉盛部
【図１】
2004346648.tif 000003
【図２】
2004346648.tif 000004
【図３】
2004346648.tif 000005
【図４】
2004346648.tif 000006
【図５】
2004346648.tif 000007
【図６】
2004346648.tif 000008